(57)【要約】      （修正有）【課題】容器本体又は蓋体のいずれかがテーパー形状であっても隙間なくシールを貼着することができる容器及び容器に備えられている補助部材を提供する。【解決手段】底板部と、底板部外周縁から上側に立設され、底板部から上側に向かって拡径したテーパー形状を有する本体周壁部３と、を備えた容器本体４と、天板部５と、天板部５外周縁から鉛直方向下側に延設された蓋体周壁部６と、を備えた蓋体７とを有している容器１Ａの容器本体４に、本体周壁部３の上端から鉛直方向下側に差し出される壁部８Ａを備えた補助部材９Ａが装着され、容器本体４に蓋体７が被着された状態で、蓋体周壁部６の内周面が該補助部材９Ａの壁部８Ａの外周面に当接されているとともに、補助部材９Ａの壁部８Ａから蓋体周壁部６にわたってシールが貼着可能とされている。【選択図】図１
0003190542.tif 000002
【実用新案登録請求の範囲】
【請求項１】
底板部と、該底板部の外周縁から上向きに立設した本体周壁部とを備え、該本体周壁部の幅寸法が上側に向かって拡大しているテーパー形状の容器本体と、
天板部と、該天板部の外周縁から鉛直方向下向きに延設された蓋体周壁部と、を備えた蓋体と、を有し、
該容器本体上側から該蓋体が被着されることによって構成される容器であって、
該容器本体の上縁に接着される接着部と、該接着部に連成しており、下向きに延出されている壁部と、を備えた補助部材を有し、
該補助部材の壁部が該容器本体の外側に配置され、かつ前記接着部が該容器本体の上縁に接着されて該補助部材が該容器本体に装着された際に、該補助部材の壁部が該容器本体の本体周壁部の上端から鉛直方向下向きに差し出され、
さらに該補助部材の上側から前記蓋体が被着された際には、該蓋体の蓋体周壁部の内周面が該補助部材の壁部の外周面に当接し、かつ該補助部材の壁部が該蓋体周壁部の下端から露出することで、該補助部材における壁部の外周面から該蓋体周壁部の外周面にわたってシールが貼着可能とされていることを特徴とする容器。
【請求項２】
前記補助部材の接着部は、前記容器本体における本体周壁部の上縁に線接触している
請求項１に記載の容器。
【請求項３】
前記補助部材の接着部は、前記容器本体における本体周壁部の内周面又は外周面に面接触している
請求項１に記載の容器。
【請求項４】
底板部と、該底板部の外周縁から鉛直方向上向きに立設した本体周壁部とを備えた容器本体と、
天板部と、該天板部の外周縁から下向きに延設された蓋体周壁部とを備え、該蓋体周壁部の幅寸法が下側に向かって拡大しているテーパー形状の蓋体と、を有し、
該容器本体に上側から該蓋体が嵌入されることによって構成される容器であって、
該蓋体の下端に接着される接着部と、該接着部に連成しており、上向きに延出されている壁部と、を備えた補助部材を有し、
該補助部材の壁部が該蓋体の外側に配置され、かつ前記接着部が該蓋体の下縁に接着されて該補助部材が該蓋体に装着された際に、該補助部材の壁部が該蓋体の蓋体周壁部の下端から鉛直方向上向きに差し出され、
さらに該容器本体に、補助部材が装着された蓋体が嵌入された際には、該容器本体の本体周壁部の内周面が該補助部材の壁部の外周面に当接し、かつ該補助部材の壁部が該本体周壁部の上端から露出することで、該補助部材における壁部の外周面から該本体周壁部の外周面にわたってシールが貼着可能とされていることを特徴とする容器。
【請求項５】
前記補助部材の接着部は、前記蓋体における蓋体周壁部の下縁に線接触している
請求項４に記載の容器。
【請求項６】
前記補助部材の接着部は、前記蓋体における蓋体周壁部の内周面又は外周面に面接触している
請求項４に記載の容器。
【請求項７】
請求項１乃至請求項６のいずれか１項に記載の容器に備えられている補助部材。
【考案の詳細な説明】
【技術分野】
【０００１】
本考案は、容器本体又は蓋体がテーパー形状の容器であって、該蓋体が該容器本体から脱離しないようにするためのシールが貼着される容器に関する。
【背景技術】
【０００２】
従来、内容物を収納する容器としては、上端が開口した円筒形状の容器本体と、該開口に被さる蓋体とからなる包装容器が提案されている（例えば、特許文献１参照。）。このような容器は一般的に、天板の外周縁に周側壁を備えた蓋体が容器本体の上側から覆い被さる構成となっている。また、この種の容器としては、上下方向に安定して積み重ねることができるように、容器本体が上側に向かって拡径したテーパー形状とされていることが多い。
【先行技術文献】
【特許文献】
【０００３】
【特許文献１】特開平１１−３２１８４１号公報
【考案の概要】
【考案が解決しようとする課題】
【０００４】
しかしながら、上記特許文献１に開示されている包装容器にあっては、容器本体が上側に向かって拡径したテーパー形状であるのに対して、蓋体の周壁部は天板の外周縁から鉛直方向下向きに延出形成されているため、該蓋体を装着した際に該蓋体の周壁部の下端と容器本体の周壁部との間に大きな隙間が生じていた。このような隙間が生じると、例えば図１０に示すように、容器１００の容器本体１０１から蓋体１０２が外れないように粘着テープ等のシールＳをそのまま貼着した場合に、図５ｂに示すように、該隙間にあたる位置で大きな段差が生じ、シールＳの接着層が部分的に露出してしまうことになる。そうすると、時間経過に伴いこの露出した接着部位にゴミやほこりが付着してしまって見栄えを損ねたり、シールのはがれを引き起こしたりする場合があった。また、このようなゴミ等の付着を防止するために当該部分だけ接着層を有しない特殊なシールを使用することもできるが、そのようなシールは製造コストが高くなるし、貼り付け作業時の位置決めに精度が要求され、手間がかかるという問題が生じる。
【０００５】
そこで本考案は、容器本体又は蓋体がテーパー形状であっても適正にシールを貼着することができる容器、およびその容器に使用される補助部材を提供することを目的とする。
【課題を解決するための手段】
【０００６】
本考案は、底板部と、該底板部の外周縁から上向きに立設した本体周壁部とを備え、該本体周壁部の幅寸法が上側に向かって拡大しているテーパー形状の容器本体と、天板部と、該天板部の外周縁から鉛直方向下向きに延設された蓋体周壁部と、を備えた蓋体と、を有し、該容器本体上側から該蓋体が被着されることによって構成される容器であって、該容器本体の上縁に接着される接着部と、該接着部に連成しており、下向きに延出されている壁部と、を備えた補助部材を有し、該補助部材の壁部が該容器本体の外側に配置され、かつ前記接着部が該容器本体の上縁に接着されて該補助部材が該容器本体に装着された際に、該補助部材の壁部が該容器本体の本体周壁部の上端から鉛直方向下向きに差し出され、さらに該補助部材の上側から前記蓋体が被着された際には、該蓋体の蓋体周壁部の内周面が該補助部材の壁部の外周面に当接し、かつ該補助部材の壁部が該蓋体周壁部の下端から露出することで、該補助部材における壁部の外周面から該蓋体周壁部の外周面にわたってシールが貼着可能とされていることを特徴とする容器である。
【０００７】
かかる構成にあっては、蓋体を被着した状態で、蓋体周壁部とこれに当接する補助部材の壁部とが共に鉛直方向に沿って下向きに差し出された重合状態となるため、該蓋体の壁部と該補助部材の壁部との間に無駄な隙間が生じなくなる。このため、該補助部材の壁部から該蓋体周壁部にわたってシールを貼着した場合に、該シールの接着層がほぼ全域にわたって該蓋体及び該補助部材に貼着することになる。したがって、該シールの接着層が露出してしまうことがなくなり、ゴミ等がシールに付着して見栄えを悪化させるようなことがなくなる。また、該補助部材の壁部の露出した部分に装飾を施すことにより、容器全体としての美観が向上する利点もある。
【０００８】
上記構成にあって、前記補助部材の接着部は、前記容器本体における本体周壁部の上縁に線接触している構成が提案される。また、前記補助部材の接着部は、前記容器本体における本体周壁部の内周面又は外周面に面接触している構成としてもよい。
【０００９】
これらのような構成とすることにより、補助部材と容器本体とを適切に固定することが可能となる。
【００１０】
また、本考案は、底板部と、該底板部の外周縁から鉛直方向上向きに立設した本体周壁部とを備えた容器本体と、天板部と、該天板部の外周縁から下向きに延設された蓋体周壁部とを備え、該蓋体周壁部の幅寸法が下側に向かって拡大しているテーパー形状の蓋体と、を有し、該容器本体に上側から該蓋体が嵌入されることによって構成される容器であって、該蓋体の下端に接着される接着部と、該接着部に連成しており、上向きに延出されている壁部と、を備えた補助部材を有し、該補助部材の壁部が該蓋体の外側に配置され、かつ前記接着部が該蓋体の下縁に接着されて該補助部材が該蓋体に装着された際に、該補助部材の壁部が該蓋体の蓋体周壁部の下端から鉛直方向上向きに差し出され、さらに該容器本体に、補助部材が装着された蓋体が嵌入された際には、該容器本体の本体周壁部の内周面が該補助部材の壁部の外周面に当接し、かつ該補助部材の壁部が該本体周壁部の上端から露出することで、該補助部材における壁部の外周面から該本体周壁部の外周面にわたってシールが貼着可能とされていることを特徴とする容器である。
【００１１】
かかる構成にあっては、蓋体を被着した状態で、本体周壁部とこれに当接する補助部材の壁部とが共に鉛直方向に沿って上向きに差し出された重合状態となるため、該本体周壁部と該補助部材の壁部との間に無駄な隙間が生じなくなる。このため、該補助部材の壁部から該本体周壁部にわたってシールを貼着した場合に、該シールの接着層がほぼ全域にわたって該容器本体及び該補助部材に貼着されることとなる。したがって、該シールの接着層が露出してしまうことがなくなり、ゴミ等がシールに付着して見栄えを悪化させるようなことがなくなる。
【００１２】
また、本考案にあって、前記補助部材の接着部は、前記蓋体における蓋体周壁部の下縁に線接触している構成が提案される。また、前記補助部材の接着部は、前記蓋体における蓋体周壁部の内周面又は外周面に面接触している構成としてもよい。
【００１３】
これらのような構成とすることにより、補助部材と蓋体とを適切に固定することが可能となる。
【００１４】
さらに本考案は、上述した容器に備えられている補助部材を提供するものである。
【００１５】
前記補助部材を用いることにより、蓋体及び容器本体のうち一方のみがテーパー形状であっても、シールにゴミ等が付着して見栄えを悪化させることがなくなり、また、シールのはがれを可及的に抑制することが可能となり、蓋体が容器本体から意図せず外れてしまうことも防止できる。
【考案の効果】
【００１６】
本考案は、蓋体及び容器本体のうち一方のみがテーパー形状であっても、シールの接着層が確実に貼着対象に接着するため、ゴミ等がシールに付着することがなく、美観に優れた容器を提供できる効果がある。また、シールのはがれを可及的に抑制することができるため、蓋体が容器本体から意図せず外れてしまうことを防止することもできる。
【図面の簡単な説明】
【００１７】
〔実施例１〕
【図１】容器の斜視図である。
【図２】補助部材が装着された容器本体の斜視図である。
【図３】容器の縦断面図である。
【図４】補助部材のブランクを示す平面図である。
【図５】（ａ）は実施例１にかかる容器のシール貼着箇所を示す拡大断面図であり、（ｂ）は従来構造の容器のシール貼着箇所を示す拡大断面図である。  〔実施例２〕
【図６】補助部材が装着された容器本体の斜視図である。
【図７】容器の縦断面図である。
【図８】補助部材のブランクを示す平面図である。  〔実施例３〕
【図９】容器の斜視図である。
【図１０】従来構造の容器を示す斜視図である。
【考案を実施するための形態】
【００１８】
以下に本考案を具体化した実施例を詳細に説明する。なお、本考案は、下記に示す実施例に限定されることはなく、適宜設計変更が可能である。
【００１９】
〔実施例１〕
図１等に示すように、容器１Ａは、横断面が円形の紙製の容器本体４と、該容器本体４の上側から被着される紙製の蓋体７とを有している。
【００２０】
前記容器本体４は、図２，３に示すように、平板状の底板部２と、該底板部２の外周縁から上側に立設された本体周壁部３とを備えている。該本体周壁部３の外径は、上側に向かって拡径しており、該容器本体４はテーパー形状をなしている。
【００２１】
一方、前記蓋体７は、図１，３に示すように、平板状の天板部５と、該天板部５の外周縁から鉛直方向下向きに延設された蓋体周壁部６とを備えている。
【００２２】
なお、前記容器本体４及び前記蓋体７は、公知技術が好適に採用される。例えば前記底板部２と前記本体周壁部３は、別個に作製されたものを組み付けてなる構成であってもよいし、または単一の材料からなる構造であってもよい。
【００２３】
さらに前記容器１Ａの容器本体４の上端には、円環帯状の補助部材９Ａが装着されている。さらに詳述すると、該補助部材９Ａは、図４に示したような平面視横長帯状のブランク１０Ａの左端１１と右端１２を重ね合わせて筒状に組み立てられてなる。また、該補助部材９Ａの上端１３は、内側カール加工されて接着部１４とされている。また、該接着部１４から下方へ延出された部位が壁部８Ａとされている。なお、該壁部８Ａの縦長は、前記蓋体７の縦長より十分に長い寸法となるように設定されていると共に、該壁部８Ａの下端縁には、円弧が連なった形状に切断されて美観に優れた装飾が施されている。
【００２４】
かかる構成にあって、前記容器本体４の上端には、図３，５ａに示すように、前記補助部材９Ａが装着され、具体的には、該補助部材９Ａの接着部１４が該容器本体４の上縁に接着剤を介して線接着され、前記壁部８Ａが該容器本体４の外側に配されて鉛直方向下向きに差し出されている。
【００２５】
さらに、該補助部材９Ａが容器本体４に装着された状態で該容器本体４の上側から蓋体７が被着されると、該蓋体７の蓋体周壁部６の内周面は、該補助部材９Ａの壁部８Ａの外周面に当接され、互いに鉛直方向に沿って下向きに差し出された重合状態となる。
【００２６】
したがって図５ａに示すように、容器１Ａにあっては、前記蓋体７の蓋体周壁部６と、該蓋体周壁部６の下端から露出した前記補助部材９Ａの壁部８ＡとにわたってシールＳを貼着した場合、該シールＳの接着層がほぼ全域にわたって該蓋体７及び該補助部材９Ａに貼着する。したがって、該シールＳの接着層が露出してしまうことがなくなり、ゴミ等がシールＳに付着して見栄えを悪化させるようなことがない。
【００２７】
〔実施例２〕
本実施例における容器１Ｂは、図６等に示したような補助部材９Ｂを使用している。具体的には、該補助部材９Ｂは、図８に示すブランク１０Ｂの左端の凸部１５が右端の凹部１６に差し込まれて筒状に組み立てられている。また、上縁に設けられた複数（４つ）の折り返し部１７を各々折り返すことで、該折り返し部１７が接着部１８とされている。
【００２８】
かかる構成にあって、前記容器本体４の上端には、本体周壁部３の上縁をまたぐように前記補助部材９Ｂが装着され、図６，７に示すように、前記接着部１８が、該本体周壁部３の内周面に接着剤を介して面接着されている。
【００２９】
さらに、該補助部材９Ｂが容器本体４に装着された状態で該容器本体４の上側から蓋体７が被着されると、該蓋体７の蓋体周壁部６の内周面は、該補助部材９Ｂの壁部８Ｂの外周面に当接され、互いに鉛直方向に沿って下向きに差し出された重合状態となる。
【００３０】
したがって、容器１Ｂにあっても、前記蓋体７の蓋体周壁部６と、該蓋体周壁部６の下端から露出した前記補助部材９Ｂの壁部８ＢとにわたってシールＳを貼着した場合、該シールＳの接着層がほぼ全域にわたって該蓋体７及び該補助部材９Ｂに貼着する。
【００３１】
〔実施例３〕
図９に示すように、容器１Ｃは、容器本体２１と蓋体２４とを有している。該容器本体２１は、底板部１９と、該底板部１９の外周縁から鉛直方向上向きに立設した本体周壁部２０とを備えている。一方、該蓋体２４は、天板部２２と、該天板部２２の外周縁から下向きに延設された蓋体周壁部２３とを備え、該蓋体周壁部２３の外径が下側に向かって拡径しているテーパー形状をなしている。
【００３２】
そして、前記容器１Ｃは、該容器本体２１に上側から該蓋体２４が嵌入されることによって構成されている。
【００３３】
また、前記容器１Ｃは、補助部材９Ｃを備えている。該補助部材９Ｃは、上記実施例１又は実施例２と同様のものが使用可能である。
【００３４】
かかる構成にあって、前記補助部材９Ｃが前記蓋体２４に装着された際に、該補助部材９Ｃの壁部８Ｃが該蓋体２４の蓋体周壁部２３の下端から鉛直方向上向きに差し出される。さらに前記容器本体２１に、該補助部材９Ｃが装着された該蓋体２４が嵌入された際には、該容器本体２１の本体周壁部２０の内周面が該補助部材９Ｃの壁部８Ｃの外周面に当接し、かつ該補助部材９Ｃの壁部８Ｃが該本体周壁部２０の上端から露出することで、該補助部材９Ｃにおける壁部８Ｃの外周面から該本体周壁部２０の外周面にわたってシールＳが貼着可能とされている。
【００３５】
上記構成とすることにより、蓋体２４を被着した状態で、本体周壁部２０とこれに当接する補助部材９Ｃの壁部８Ｃとが共に鉛直方向に沿って上向きに差し出された重合状態となるため、該本体周壁部２０と該補助部材９Ｃの壁部８Ｃとの間に無駄な隙間が生じなくなる。したがって、該シールＳの接着層が露出してしまうことがなくなり、ゴミ等がシールＳに付着して見栄えを悪化させるようなことがなくなる。
【００３６】
これまでに述べた容器１Ａ〜１Ｃは、例えば紙製であったりプラスチック製であったりしてもよく、特に限定されない。また、例えば容器本体と蓋体とで別の材料が使用されていても構わない。さらに、貼着されるシールも、紙製やプラスチック製などが採用可能であり、用途に応じて適宜選択可能である。
【００３７】
また、補助部材９Ａ〜９Ｃの壁部８Ａ〜８Ｃの端縁形状も用途に応じて自由に設計変更することができ、装飾性の優れた見栄えの良いものとすることができる。
【符号の説明】
【００３８】
１Ａ，１Ｂ，１Ｃ      容器
２                    底板部
３                    本体周壁部
４                    容器本体
５                    天板部
６                    蓋体周壁部
７                    蓋体
８Ａ，８Ｂ，８Ｃ      壁部
９Ａ，９Ｂ，９Ｃ      補助部材
１４                  接着部
１８                  接着部
１９                  底板部
２０                  本体周壁部
２１                  容器本体
２２                  天板部
２３                  蓋体周壁部
２４                  蓋体
Ｓ                    シール
【図１】
0003190542.tif 000003
【図２】
0003190542.tif 000004
【図３】
0003190542.tif 000005
【図４】
0003190542.tif 000006
【図５】
0003190542.tif 000007
【図６】
0003190542.tif 000008
【図７】
0003190542.tif 000009
【図８】
0003190542.tif 000010
【図９】
0003190542.tif 000011
【図１０】
0003190542.tif 000012